(57)【特許請求の範囲】
【請求項１】
透明合成樹脂製の外装フィルムからなる外包装袋を設けると共に、該外包装袋の内がわを、少なくとも１つの製品収容部と１つのラベル収容部とに縦断状に仕切るよう１枚以上の内装フィルムを一体に組み合わせると共に、該ラベル収容部は、包装袋本体外包装袋の内側面であって、外縁シール部および該ラベル収容部を除く余剰範囲と、これに対峙する内装フィルム外側面のラベル収容部を除く余剰範囲との間に接着層を形成し、ラベル収容部の寸法形状を紙製表示ラベルの外郭寸法形状より僅かに大きなものとなるようにした上、各ラベル収容部および各製品収容部には、夫々同一外縁であって最終シール代を確保した一外縁端に開口する装入口を設けてなる包装袋本体を設け、該包装袋本体各ラベル収容部には、それら各装入口を通じて小ロット、多品種印刷されただけで接着剤層を持たない紙製表示ラベルを収容し、各製品収容部には、それら各装入口を通じて包装対象商品を収容可能なものとし、包装対象商品を各製品収容部に収容した後、当該同一外縁の最終シール代同士を貼着して各ラベル収容部および各製品収容部を同時に密閉可能としてなるものとしたことを特徴とする包装用樹脂袋。
【請求項２】
透明合成樹脂製の外装フィルムからなる外包装袋を設けると共に、該外包装袋の内がわを、少なくとも１つの製品収容部と１つのラベル収容部とに縦断状に仕切るよう１枚以上の内装フィルムを一体に組み合わせると共に、該ラベル収容部は、包装袋本体外包装袋の内側面であって、外縁シール部および該ラベル収容部を除く余剰範囲と、これに対峙する内装フィルム外側面のラベル収容部を除く余剰範囲との間に接着層を形成し、ラベル収容部の寸法形状を紙製表示ラベルの外郭寸法形状より僅かに大きなものとなるようにした上、各ラベル収容部および各製品収容部には、夫々同一外縁であって最終シール代を確保した一外縁端に開口する装入口を設け、各内装フィルムは、最終シール代のさらに外がわまで装入誘導縁を延伸してなる包装袋本体を設け、該包装袋本体各ラベル収容部には、それら各装入口を通じて小ロット、多品種印刷されただけで接着剤層を持たない紙製表示ラベルを収容し、各製品収容部には、それら各装入口を通じて包装対象商品を収容可能なものとし、包装対象商品を各製品収容部に収容した後、当該同一外縁の最終シール代同士を貼着すると共に、各装入誘導縁を切除して各ラベル収容部および各製品収容部を同時に密閉可能としてなるものとしたことを特徴とする包装用樹脂袋。
【請求項３】
包装袋本体外包装袋の内側面であって、外縁シール部および該ラベル収容部を除く余剰範囲と、これに対峙する内装フィルム外側面のラベル収容部を除く余剰範囲との間に形成するラベル収容部の接着層が、有色接着剤からなる有色接着層となるようにした、請求項１または２何れか一記載の包装用樹脂袋。
【請求項４】
包装袋本体外包装袋の内側面であって、外縁シール部および該ラベル収容部を除く余剰範囲と、これに対峙する内装フィルム外側面のラベル収容部を除く余剰範囲との間に形成するラベル収容部の接着層が、適宜表示パターンを付与した有色接着剤からなる有色接着層となるようにした、請求項１または２何れか一記載の包装用樹脂袋。
【請求項５】
包装袋本体が、２枚の外装フィルムの間に、１枚の内装フィルムを挟み込んでなる３方シール袋とし、表がわ外装フィルムと内装フィルムとの間に形成したラベル収容部に紙製表示ラベルを収容し、内装フィルムと裏がわ外装フィルムとの間に形成した製品収容部に包装対象商品を収容可能なものとした、請求項１ないし４何れか一記載の包装用樹脂袋。
【請求項６】
包装袋本体が、２枚の外装フィルムの間に、２枚の内装フィルムからなる内袋を挟み込んでなる３方シール袋とし、表がわ外装フィルムとそれに対峙する内袋となる内装フィルムとの間に形成したラベル収容部に表用の紙製表示ラベルを収容し、内袋を形成する２枚の内装フィルム間の製品収容部には包装対象商品を収容可能なものとし、裏がわ外装フィルムとそれに対峙する内袋となるもう一方の内装フィルムとの間に形成したラベル収容部に裏用の紙製表示ラベルを収容してなるものとした、請求項１ないし４何れか一記載の包装用樹脂袋。
【請求項７】
包装袋本体が、１枚の外装フィルムから形成する外包装袋内に、１枚の内装フィルムからなる内袋を収容配置すると共に、少なくとも何れか１箇所の外縁シール部で一体化してなるピロー袋とし、外装フィルムと内袋となる内装フィルムとの間に形成したラベル収容部に紙製表示ラベルを収容し、内袋内の製品収容部に包装対象商品を収容可能なものとした、請求項１ないし４何れか一記載の包装用樹脂袋。
【請求項８】
外装フィルムと内装フィルムとを貼着・一体化し、少なくとも１つずつのラベル収容部および製品収容部を有する包装袋本体を製造した後、各ラベル収容部に小ロット、多品種印刷されただけで接着剤層を持たない紙製表示ラベルを収容してから、各製品収容部に包装対象商品を収容した上、各ラベル収容部および各製品収容部を同時に密閉し、必要に応じて各装入誘導縁を切除してなるものとした、請求項１ないし７何れか一記載の包装用樹脂袋を利用した包装商品の製造方法。
【請求項９】
外装フィルムと内装フィルムとを貼着・一体化し、少なくとも１つずつのラベル収容部および製品収容部を有する包装袋本体を製造する工程中の適宜段階にて、各ラベル収容部に小ロット、多品種印刷されただけで接着剤層を持たない紙製表示ラベルを収容して包装袋本体を製造した後、各製品収容部に包装対象商品を収容した上、各ラベル収容部および各製品収容部を同時に密閉し、必要に応じて各装入誘導縁を切除してなるものとした、請求項１ないし７何れか一記載の包装用樹脂袋を利用した包装商品の製造方法。                    
【発明の詳細な説明】
【技術分野】
【０００１】
この発明は、合成樹脂フィルム製包装用品の製造技術に関連するものであり、特に、多品種小ロット生産に効率的に対応可能なラベルを装着した包装用樹脂製品、および、それを利用した包装商品の製造方法を提供する分野は勿論のこと、それら包装用樹脂製品、および、それを利用した包装商品の輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                                  
【背景技術】
【０００２】
（着目点）
各種食品包装用プラスチックフィルムを利用した密閉包装食品類は、包装表面に商品名やブランド、広告など文字や図柄、写真といった表示部を印刷可能であり、しかも機械化して自動的且つ衛生的に包装することができるなど、食品類の大量生産に適しているという理由から、幅広い商品に採用されているが、近年では、消費者ニーズの多様化に伴う多品種・少量生産への要求が高まるにつれ、内容の異なる個別商品毎に、異なる印刷・表示の包装用ラベルや包装用フィルム、包装用樹脂袋などを準備しなければならず、従来どおりのオフセット印刷を用いたラベル貼着が最優先されるだけの包装袋などでは、製造工数の増大と納期の遅れを招くばかりでなく、商品毎に異なる包装袋の在庫管理や出荷、輸送管理などの工数も増加してしまい、国内経済の低迷で製造コストの削減が求められている中、反ってコストアップを招き兼ねないことが懸念される。
【０００３】
（従来の技術）
こうした状況を反映し、その打開策となるような提案もこれまでに散見されない訳ではない。
例えば、下記の特許文献１（１）に提案されているものに代表されるように、パソコンとその上で作図のできるソフトウェアとを使用し、表示プレート本体には、パソコンで作製した表示プレートを印刷した紙を市販のラミネート用シートを使用してラミネートし、個別表示プレートに切り離した後、接着剤または両面テープで貼合し得るものとしてなるものや、同特許文献１（２）に見られるような、紙からなる基材層の少なくとも一方の面に紙剥け防止層、感熱接着層を積層した積層材料からなり、基材層の紙の層間強度Ａ、紙剥け防止層の材料の引張強さＤ、感熱接着層の材料の凝集剥離強度Ｂ、感熱接着層の材料の被着体への接着強度Ｃとすると、該紙剥け防止層がＤ＞Ａ、Ｂ、Ｃを満たす材料からなり、該感熱接着層がＢ＞Ｃを満たす材料からなる紙ラベルとし、被着体に貼りつけられた後、保管時や輸送段階で紙ラベルが剥がれ落ちることがなく、引き剥がす時は紙剥けしないで容易に引き剥がしできるようにしてなるものなどが散見される。
【０００４】
しかし、前者特許文献１（１）に示されているようなパソコンおよびプリンターを利用した印刷により、所望する表示内容の表示プレートを造った上、これに市販のラミネート用シートを用いてラミネート加工してなるものは、会社や学校などの建築物屋内の表示プレートを製造するのを目的とするものであり、主としてパソコンの文字フォントによる文字表示のみからなるものであり、印刷にも汎用のレザープリンターやインクジェットプリンターなどを用いており、商品用のデザインを付与したり、オフセット印刷と同等の品質を安定して得られるようにしたりすることなどが難しいという致命的欠点を有するものであったり、後者、特許文献１（２）に示したものなどは、ラベルの基材層に紙を利用しているから、水滴や汚れなどの付着や浸透に弱く、衛生的な保管、輸送、陳列および販売が求められる食品類用の包装袋などには不向きであるといった問題を残すものであった。                          
【特許文献１】（１）特開２００１−１８７４２７号公報    （２）特開２０００７−１４０１１８号公報
【発明の概要】
【発明が解決しようとする課題】
【０００５】
（問題意識）
上述したとおり、従前までに提案のある各種表示プレートには、小ロット生産に不向きである上、印刷品質や素材の問題絡みで製造コストの高騰化が懸念されたり、また紙製ラベル基材層を利用するものでは、どうしても防水性や防汚性などの点で劣ってしまうという課題を残すものであったりしていて、これら各種包装資材の開発、提供に永年携わってきている中、それらから得られた様々な知見やユーザーからの情報などから、多品種・少量生産商品用となるラベルへの需要の高まりが垣間見られてきていて、簡便且つ効率的に製造可能とすることは勿論のこと、印刷の品質を安定化させ、しかも小ロット製造のコストを大幅削減して経済的にも有利となるようにした包装資材の実現化の必要性を痛感するに至ったものである。
【０００６】
（発明の目的）
そこで、この発明は、多品種・少量生産の小ロット毎に、内容の異なるラベルを効率的且つ低廉に製造可能とする上、商品の効率的包装工程を阻害することなく、衛生および美感に秀れ、高品質なラベルの装着を可能とする新たな包装技術の開発はできないものかとの判断から、逸速くその開発、研究に着手し、長期に渡る試行錯誤と幾多の試作、実験とを繰り返してきた結果、今回、遂に新規な構造の包装用樹脂袋、およびそれを利用した包装商品の製造方法を実現化することに成功したものであり、以下では、図面に示すこの発明を代表する実施例と共に、その構成を詳述することとする。                                                          
【課題を解決するための手段】
【０００７】
（発明の構成）
図面に示すこの発明を代表する実施例からも明確に理解されるように、この発明の包装用樹脂袋は、基本的に次のような構成から成り立っている。
即ち、透明合成樹脂製の外装フィルムからなる外包装袋を設けると共に、該外包装袋の内がわを、少なくとも１つの製品収容部と１つのラベル収容部とに縦断状に仕切るよう１枚以上の内装フィルムを一体に組み合わせると共に、該ラベル収容部は、包装袋本体外包装袋の内側面であって、外縁シール部および該ラベル収容部を除く余剰範囲と、これに対峙する内装フィルム外側面のラベル収容部を除く余剰範囲との間に接着層を形成し、ラベル収容部の寸法形状を紙製表示ラベルの外郭寸法形状より僅かに大きなものとなるようにした上、各ラベル収容部および各製品収容部には、夫々同一外縁であって最終シール代を確保した一外縁端に開口する装入口を設けてなる包装袋本体を設け、該包装袋本体各ラベル収容部には、それら各装入口を通じて小ロット、多品種印刷されただけで接着剤層を持たない紙製表示ラベルを収容し、各製品収容部には、それら各装入口を通じて包装対象商品を収容可能なものとし、包装対象商品を各製品収容部に収容した後、当該同一外縁の最終シール代同士を貼着して各ラベル収容部および各製品収容部を同時に密閉可能としてなるものとした構成を要旨とする包装用樹脂袋である。
【０００８】
より具体的には、透明合成樹脂製の外装フィルムからなる外包装袋を設けると共に、該外包装袋の内がわを、少なくとも１つの製品収容部と１つのラベル収容部とに縦断状に仕切るよう１枚以上の内装フィルムを一体に組み合わせると共に、該ラベル収容部は、包装袋本体外包装袋の内側面であって、外縁シール部および該ラベル収容部を除く余剰範囲と、これに対峙する内装フィルム外側面のラベル収容部を除く余剰範囲との間に接着層を形成し、ラベル収容部の寸法形状を紙製表示ラベルの外郭寸法形状より僅かに大きなものとなるようにした上、各ラベル収容部および各製品収容部には、夫々同一外縁であって最終シール代を確保した一外縁端に開口する装入口を設け、各内装フィルムは、最終シール代のさらに外がわまで装入誘導縁を延伸してなる包装袋本体を設け、該包装袋本体各ラベル収容部には、それら各装入口を通じて小ロット、多品種印刷されただけで接着剤層を持たない紙製表示ラベルを収容し、各製品収容部には、それら各装入口を通じて包装対象商品を収容可能なものとし、包装対象商品を各製品収容部に収容した後、当該同一外縁の最終シール代同士を貼着すると共に、各装入誘導縁を切除して各ラベル収容部および各製品収容部を同時に密閉可能としてなるものとした構成からなる包装用樹脂袋となる。
【０００９】
（関連する発明）
上記した包装用樹脂袋に関連し、この発明には、それを利用した包装商品の製造方法も包含している。
即ち、外装フィルムと内装フィルムとを貼着・一体化し、少なくとも１つずつのラベル収容部および製品収容部を有する包装袋本体を製造した後、各ラベル収容部に小ロット、多品種印刷されただけで接着剤層を持たない紙製表示ラベルを収容してから、各製品収容部に包装対象商品を収容した上、各ラベル収容部および各製品収容部を同時に密閉し、必要に応じて各装入誘導縁を切除するようにしてなるものとした、この発明の基本をなす前記包装用樹脂袋を利用した包装商品の製造方法である。
【００１０】
これを、表現を変えて示すと、外装フィルムと内装フィルムとを貼着・一体化し、少なくとも１つずつのラベル収容部および製品収容部を有する包装袋本体を製造する工程中の適宜段階にて、各ラベル収容部に小ロット、多品種印刷されただけで接着剤層を持たない紙製表示ラベルを収容して包装袋本体を製造した後、各製品収容部に包装対象商品を収容した上、各ラベル収容部および各製品収容部を同時に密閉し、必要に応じて各装入誘導縁を切除するようにしてなるものとした、包装用樹脂袋を利用した包装商品の製造方法ということができる。                                                                                
【発明の効果】
【００１１】
以上のとおり、この発明の包装用樹脂袋によれば、従前までのものとは違い、上記したとおりの固有の特徴ある構成から、従前までのオフセット印刷による場合には、ラベルのデザインデータから版を造る工程を必須とし、それ故に短納期化が困難である上、少量生産では高コストになって商品価格を高騰させてしまうという欠点の解消が難しかったものが、小ロット、多品種印刷した紙製表示ラベルの採用により、こうした課題を一掃し、高品質で短納期且つ低コストにて高効率に少量・多品種生産することが可能となり、しかも、外装フィルムと内装フィルムとの間に設けたラベル収容部内に紙製表示ラベルを装入・密封してしまい、充分な耐水性を確保してなるものとなることから、紙製表示ラベルの汚損し易いという問題を解決し得る上に、紙の質感を活かしながら樹脂製ラベルと同等の耐久性を確保可能とし、美感および衛生面に秀れた高品質なラベルの表示を実現化することができるだけではなく、必要最小数の紙製表示ラベルの生産に留めて、従来型の大量印刷や大量廃棄を解消して資源を無駄にせず、さらに有利には、包装資材として使用を終えた後には、紙製表示ラベルだけを簡単に取り出せて容易に分別・リサイクルすることができるものとなるなどの利点があり、格段に環境に優しく、経済的な包装技術を提供可能とすることができるという秀れた特徴が得られるものである。
【００１２】
加えて、小ロット、多品種印刷した紙製表示ラベルを採用した当該包装用樹脂袋は、パソコンなどの端末にて紙製表示ラベルの表示内容だけを変えるだけで、即座に必要数量分を印刷し、包装用樹脂袋の生産に取り掛かることが可能となり、商品開発から製造・出荷までの期間を大幅に短縮して市場ニーズに即応可能なものとすることができる上、市場に本格的に導入する前の商品について、幾つかのパターンを印刷した紙製表示ラベルを少量ずつ製作し、包装用樹脂袋への顧客の反応を調査するなどといったテストマーケティングも経済的に短期間で実施することができるようになり、したがって、生産性の向上に留まらず幅広い波及効果を期待し得るものとすることができる。
【００１３】
透明合成樹脂製の外装フィルムからなる外包装袋の内がわを、少なくとも１つの製品収容部と１つのラベル収容部とに縦断状に仕切るよう１枚以上の内装フィルムを一体に組み合わせてなるようにした包装袋本体は、最小で１枚の外装フィルムと１枚の内装フィルムとを組み合わせてピロー袋とすることができる他に、２枚の外装フィルムで１枚の内装フィルムを挟み込むよう組み合わせて３方シール袋とすることができるなど、外装フィルムと内装フィルムとの様々な組合せによって多種・多様な包装用樹脂袋を提供可能とするものになる上、包装袋本体の表裏双方にラベル収容部を設けたものや、複数の製品収容部を有するものなどといった様々な形態の包装用樹脂袋を製造可能にするという特徴を発揮するものとなる。
【００１４】
そして、ラベル収容部および製品収容部夫々の、同一外縁に最終シール代を確保した夫々の装入口を開口してなる包装袋本体は、該ラベル収容部に紙製表示ラベルを装入し、製品収容部に包装対象商品を装入した後、ラベル収容部および製品収容部夫々の各装入口に臨む最終シール代を、同一の貼着工程にて密閉状に閉鎖することができるから、シール加工の作業性を格段に高めることができる上、内装フィルムが、最終シール代のさらに外がわまで装入誘導縁を延伸してなるようにした包装袋本体では、ラベル収容部に紙製表示ラベルを、また、製品収容部に包装対象商品を夫々装入する作業で、外がわに突出している該装入誘導縁が、フィルム同士の重なり縁となる各装入口の開放操作を容易且つ確実なものとし、且つ、紙製表示ラベルや包装対象商品の装入案内としての機能を発揮するものとなり、しかも、該装入誘導縁は、包装作業の最終段階における最終シール代の貼着加工と同時に、簡便に切除することができるから、従来品に比較して包装作業性を格段に高められるという利点がもたらされる。
【００１５】
さらにまた、ラベル収容部が、包装袋本体外包装袋の内側面であって、外縁シール部および該ラベル収容部を除く余剰範囲と、これに対峙する内装フィルム外側面のラベル収容部を除く余剰範囲との間に接着層を形成してなる包装袋本体とするものでは、該接着層が、ラベル収容部の形状、寸法を紙製表示ラベルよりも僅かに大きなものに設定するものとなり、ラベル収容部に装入後の紙製表示ラベルがズレ動いたりするのを、より一層確実に阻止するものとなり、また接着層を有色接着剤からなるものとして、包装用樹脂袋外周面の装入後の紙製表示ラベル装入後のラベル収容部を除く余剰範囲に着色するようにしたものとすることもできて、包装商品の外的美感を一段と高め得るようにしたものとすることができ、さらに、有色接着層に適宜表示パターンを付与し、カラーバリエーションに加えてデザインの多様化を発展させることも可能にし得るという特有の効果を発揮するものとなる。
【００１６】
以上のとおり、この発明の包装用樹脂袋を利用した包装商品の製造方法によれば、従前までとは違い、上記したとおりの固有の特徴ある構成から、パソコンなどの端末にて紙製表示ラベルの表示内容だけを変えるだけで、小ロットであっても即座に必要数量分のみを印刷し、包装用樹脂袋の生産に取り掛かることを可能にするから、製造工数を大幅に削減でき、しかも包装袋本体のラベル収容部に小ロット、多品種印刷されただけで接着剤層を持たない紙製表示ラベルを収容してから、製品収容部に包装対象商品を収容した上、ベル収容部および各製品収容部を同時に密閉し、必要に応じて各装入誘導縁を切除するようにして格段に効率的且つ迅速で低コストな生産を実現化できるという秀れた特徴を発揮するものとなる。
【００１７】
また、外装フィルムと内装フィルムとを貼着・一体化し、包装袋本体を製造する工程中の適宜段階にて、ラベル収容部に小ロット、多品種印刷されただけで接着剤層を持たない紙製表示ラベルを収容し、包装用樹脂袋を製造するようにしたものの場合には、包装袋本体ラベル収容部に紙製表示ラベルを手作業にて装入する作業が不要となり、製造工数を大幅に削減可能とすることができる上、包装袋本体の製造機械に、紙製表示ラベル装入機構を組み込み、小ロット生産だけでなく、手作業による包装作業に適さない中ロット・大ロット生産にも簡単に利用できるから、より幅広い包装商品を効率的に生産するのに有効なものとすることができるという大きな効果を奏することとなる。                                                                
【発明を実施するための最良の形態】
【００１８】
上記したとおりの構成からなるこの発明の実施に際し、その最良もしくは望ましい形態について説明を加えることにする。
包装用樹脂袋は、包装対象商品をそれらの商品価値を維持可能とするよう適宜包装して包装商品を生産可能とする機能を担い、包装袋本体のラベル収容部に紙製表示ラベルを装入してなるものとし、包装袋本体は、１つ以上の製品収容部、および、１つ以上のラベル収容部を有するものとしなければならず、より具体的には、透明合成樹脂製の外装フィルムからなる外包装袋を設けると共に、該外包装袋の内がわを縦断状に仕切るよう１枚以上の内装フィルムを一体に組み合わせ、少なくとも１つの製品収容部と、少なくとも１つのラベル収容部とを形成してなるものとし、各ラベル収容部には、紙製表示ラベルを保護可能な程度の耐水性を与えたものとすべきであり、例えば、ボトムシール袋、サイドシール袋、３方シール袋、ピロー袋、ガゼット袋、角底袋、スタンディングパウチ、チャック袋、真空成形袋、円形シール袋などの合成樹脂製のものとすることができ、換言すると、各種ポリエチレン、各種ポリプロピレン、エチレン・酢酸ビニル共重合フイルム、ＰＥ系シーラントフイルム、ポリ塩化ビニリデンコートＯＰＰ、ＰＶＡコートＯＰＰ、各種ポリエステル、Ｋコートポリエステル、延伸ナイロン、Ｋコートナイロン、無延伸ナイロン、ポリビニルアルコール、ポリ塩化ビニル、ＰＴ、ＭＳＴ、Ｋセロ、ポリアクリロニトリル、ＰＡＮ、ポリスチレン、スチロール、アルミ蒸着フイルム、透明蒸着フイルム、各種共押出しフイルム、その他の合成樹脂製か、または、それらの複合素材製のものとすることができる外、紙製、布製、革製、ゴム製などの各種袋や包装用フィルムまたはシートなどとすることもでき、それら既存の材質の外、現在および今後に開発される新素材製のものを採用することも勿論可能とするものである。
【００１９】
包装袋本体は、その外包装袋の内がわに形成した少なくとも１つの製品収容部に包装対象商品を収容可能とし、且つ、少なくとも１つのラベル収容部に紙製表示ラベルを収容可能とする機能を担っており、透明合成樹脂製の外装フィルムからなる外包装袋を設けると共に、該外包装袋の内がわを、少なくとも１つの製品収容部と１つのラベル収容部とに縦断状に仕切るよう１枚以上の内装フィルムを一体に組み合わせた上、該ラベル収容部に紙製表示ラベルを装入して包装用樹脂袋とすることができるものとしなければならず、包装対象商品は、食品類に留まらず、その他の生活用品などの様々な商品の外、製品収容部およびラベル収容部の各装入口を封鎖せず、開封状態のままの包装袋本体を、調剤した医薬品を入れて患者に渡すための薬袋として利用することが可能となり、製品収容部に包装対象商品である調剤薬を装入し、ラベル収容部には、服用方法、服薬時の注意事項、保存方法、調剤した医院や薬局の名称や連絡先などを印刷した紙製表示ラベルを、調剤の都度入れ替え自在とするよう装入し、複数回に渡って再利用可能なものとすることができる。
【００２０】
外包装袋は、包装袋本体の内装フィルム、および／または内袋を除く外装部分を形成し、製品収容部を包囲・保護すると共に、ラベル収容部の外部皮膜を形成する機能を担うもので、少なくともラベル収容部に相当する範囲を、有色か無色かを問わず、耐水性・透明合成樹脂製のものとしなければならず、包装対象商品の重量を保持するに充分な耐久強度を有するものとすべきで、その材質は、前述した包装袋本体に適した材質の中から適宜選択し、３方シール袋やピロー袋の外、前述のとおり様々な形状・構造の袋とすることができる。
【００２１】
内装フィルムは、それ自体が包装対象商品を収容する製品収容部を形成可能な内袋となるか、または、外包装袋外装フィルムの内壁面との間に製品収容部を形成するかの、少なくとも何れか一方の機能を担うものとし、且つ、外包装袋外装フィルムの内壁面と対峙するものは、同外包装袋外装フィルムの内壁面との間にラベル収容部を形成可能とする機能を分担し、有色、無色、透明、不透明、鏡面（金属皮膜）などの何れのものとすることも可能であり、包装対象商品の保存条件に適した強度の外、柔軟性、防水性、防湿性、遮光性、断熱性などの様々な性能の各種フィルム素材の中から自由に選択することができることは言うまでもなく、その材質は、前述した包装袋本体に適した材質の中から適宜選択可能とし、３方シール袋やピロー袋の外、外包装袋の形状に準じて、フィルム形状や折り畳み形状、および内袋形状などを適宜設定することが可能である。
【００２２】
包装袋本体の外包装袋や、内装フィルム、内袋などで形成する各ラベル収容部および各製品収容部は、夫々同一外縁であって最終シール代を確保した一外縁端に開口する装入口を設けたものとするのが望ましいと言えるが、さらに、各ラベル収容部への紙製表示ラベルの装入や、各製品収容部への包装対象商品の装入作業性などを考慮するとすれば、各内装フィルムの最終シール代のさらに外がわに装入誘導縁を延伸、形成してなるものとするようにするのが望ましく、該包装袋本体各ラベル収容部には、それら各装入口を通じて紙製表示ラベルを収容し、各製品収容部には、それら各装入口を通じて包装対象商品を収容可能なものとし、包装対象商品を該製品収容部に収容した後、当該同一外縁の最終シール代同士を貼着すると共に、各装入誘導縁を必要に応じて切除し、各ラベル収容部および各製品収容部を同時に密閉可能としてなるものとすることができる。
【００２３】
紙製表示ラベルは、その表示内容を外包装袋外装フィルムを透して、外がわから見ることができるよう表示可能とすると共に、紙種毎の質感も表現可能とする機能を担っており、接着剤層は形成しないで、小ロット、多品種印刷されただけのものとしなければならず、オンデマンド印刷機器を用いて印刷したものとすべきであり、オフセット印刷機と同等の印刷品質が得られる高品質オンデマンド印刷機器を用いて印刷したものとするのが望ましく、１枚の紙、複数枚の紙、折り畳んだ紙、様々な形状の紙など何れとすることも可能であり、装着状態にてラベル収容部の内部寸法よりも小さな外郭寸法、形状とするよう設定したものとしなければならず、例えば、上質紙、色上質紙、コート紙、アートコート紙、マットコート紙、ケント紙、ミラーケント紙、和紙、ミラーコート紙、フォト光沢紙、ヴァンヌーボＦナチュラル、ヴァンヌーボＶＧスノーホワイト、アラベール、ミスタービー、マシュマロＣｏＣ、両ザラクラフト、オリンパスクラフト、ＦＧＳニューユボ（何れも商品名）、その他の多様な紙種から自由に選択することが可能であり、必要に応じて、銀ネーマー、金ネーマー、透明ＰＥＴ、白ＰＥＴ、塩ビフィルム、ユボ合成紙（何れも商品名）、その他などのポリエステルやＰＰベースなど様々な合成樹脂製シートや合成紙など、接着剤層を持たない各種シートやフィルムなどからなるものとすることが可能であって、従前までにオフセット印刷に使用されてきた様々な用紙類は勿論のこと、現在および今後開発される新たな紙種などを適宜採用かのとは勿論である。
【００２４】
ラベル収容部は、外包装袋の内がわに、製品収容部とは別に仕切った収容部分を形成し、紙製表示ラベルを外がわから透視可能とするよう収容・表示可能とすると共に、収容後の紙製表示ラベルを防水・防汚するよう保護可能とする機能を分担し、外包装袋の外装フィルム内壁面と、それに対峙する内装フィルム外側壁面との間にシート状の紙製表示ラベルを装入可能なものであって、少なくともラベル収容部を形成する外包装袋の外装フィルム範囲を無色か、有色かの何れかの透明フィルム製とし、ラベル収容部を形成する外包装袋の外装フィルム範囲、および、ラベル収容部を形成する内装フィルム範囲の双方を防水保護可能とする合成樹脂フィルム製のものとしなければならず、紙製表示ラベルだけでなく、包装対象商品の説明書や成分表、パンフレット、広告などの各種シート状物の外、包装対象商品用の補強板、補強枠、使い捨て用のスプーン、割り箸、定規、工具類などの付属品やその他のサービス品など、包装対象商品に付属する物品を収容可能とするものとすることができ、包装袋本体外包装袋の内側面であって、外縁シール部および該ラベル収容部を除く余剰範囲と、これに対峙する内装フィルム外側面のラベル収容部を除く余剰範囲との間に接着層を形成し、ラベル収容部の寸法形状を紙製表示ラベルの外郭寸法形状より僅かに大きなものとなるようにすることができる。
【００２５】
そして、さらに、包装袋本体外包装袋の内側面であって、外縁シール部および該ラベル収容部を除く余剰範囲と、これに対峙する内装フィルム外側面のラベル収容部を除く余剰範囲との間に有色接着剤からなる有色接着層を形成し、ラベル収容部の寸法形状を紙製表示ラベルの外郭寸法形状より僅かに大きなものとするようにしてなるものとすることができる外、包装袋本体外包装袋の内側面であって、外縁シール部および該ラベル収容部を除く余剰範囲と、これに対峙する内装フィルム外側面のラベル収容部を除く余剰範囲との間に有色接着剤からなる有色接着層を、適宜表示パターンを付与したものとして形成し、ラベル収容部の寸法形状を紙製表示ラベルの外郭寸法形状より僅かに大きなものとするようにしてなるものとすることが可能である。
【００２６】
有色接着剤は、外装フィルムと、それに対峙する内装フィルムとの間に形成するラベル収容部を、紙製表示ラベルの面積に合わせ、該ラベル収容部を除く余剰範囲を接着してしまうと共に、フィルム同士の接着層に着色、模様表示、印画表示、印字表示、記号表示などの機能を付与可能とするものであり、既存の粘着剤、接着剤、溶剤、ヒートシール接着剤、光硬化性接着剤、その他の現在利用されている透明、半透明、不透明の有色接着剤、および、今後開発される透明、半透明、不透明、金属色などの有色接着剤を採用することが可能であり、有色接着層の表示パターンは、後述する実施例に示すように、市松模様とすることができる外、縞模様、水玉模様、花模様、星模様、記号模様、文字模様、絵画、などの各種模様の外、接着剤で印刷可能な表示パターン、ヒートシールや印刷層の加圧圧着などで表示可能な表示パターンなどであれば、いずれでも表示することが可能である。
【００２７】
ラベル収容部の装入口は、予め製造してあるか、またな、製造途中にある包装袋本体のラベル収容部に、紙製表示ラベルを装入可能とする機能を担い、紙製表示ラベルを容易に装入できるよう、紙製表示ラベルの装入方向端幅よりも大きく開口してなるものとしなければならず、包装袋本体の一外縁端に開口し、最終シール代を確保したものとすべきであり、製品収容部の装入口と一致する位置に形成したものとするのが望ましい。
【００２８】
製品収容部は、外包装袋の内がわに、ラベル収容部とは別に仕切った収容部分を形成し、包装対象商品を収容可能とする機能を担い、各種包装対象商品の夫々の包装条件を満たすよう、適宜条件で収容可能とするものとしなければならず、外包装袋の外装フィルム内壁面と、それに対峙する内装フィルム外側壁面との間に包装対象商品を収容可能とする容積を確保してなるものとすることができる外、１枚または複数枚の内装フィルムが形成する１個または２個以上の内袋からなるものとすることが可能であり、包装対象商品のみの収容に留まらず、紙製表示ラベルや、包装対象商品の説明書、成分表、パンフレット、広告などの各種シート状物の外、包装対象商品用の補強板、補強枠、仕切り材、使い捨て用のスプーン、割り箸、定規、工具類などの付属品やその他のサービス品類などを収容可能とするものとすることができる。
【００２９】
表現を変えて示すと、包装袋本体は、透明合成樹脂製の外装フィルムからなる外包装袋を設けると共に、該外包装袋の内がわを少なくとも１つの製品収容部と、１つのラベル収容部とに縦断状に仕切るよう１枚以上の内装フィルムを一体に組み合わせた上、各ラベル収容部および各製品収容部には夫々、同一外縁であって最終シール代を確保した一外縁端に開口する装入口を設けてなるものとしなければならず、また、透明合成樹脂製の外装フィルムからなる外包装袋を設けると共に、該外包装袋の内がわを、少なくとも１つの製品収容部と１つのラベル収容部とに縦断状に仕切るよう１枚以上の内装フィルムを一体に組み合わせるようにした上、各ラベル収容部および各製品収容部には、夫々、同一外縁であって最終シール代を確保した一外縁端に開口する装入口を設け、各内装フィルムは、最終シール代のさらに外がわまで装入誘導縁を延伸することが可能である。
【００３０】
さらにまた、透明合成樹脂製の外装フィルムからなる外包装袋を設けると共に、該外包装袋の内がわを少なくとも１つの製品収容部と、１つのラベル収容部とに縦断状に仕切るよう１枚以上の内装フィルムからなる１または複数の内袋を一体に組み合わせた上、外包装袋の内がわと各内袋の外がわとの間に形成した各ラベル収容部、および各内袋内製品収容部には、夫々、同一外縁であって最終シール代を確保した一外縁端に開口する装入口を設け、各内装フィルムは、最終シール代のさらに外がわまで装入誘導縁を延伸してなるものとすることができる。
【００３１】
包装袋本体の外縁シール部は、外装フィルムの外周縁の所定幅範囲を熔着や接着するなどして外包装袋を形成、密閉可能とし、また、内装フィルムの外周縁の所定幅範囲を熔着や接着その他手段で内袋を形成、密閉可能とし、さらにまた、外包装袋を形成する外装フィルムの外周縁の所定幅範囲を、内袋を形成する内装フィルムの外周縁の所定幅範囲に熔着や接着するなどして一体化可能とする機能を担い、包装商品を完成するまでの何れかの段階で密閉状態に封鎖可能とするものとしなければならず、必要に応じて外縁シール部である最終シール代の、さらに外がわまで装入誘導縁を延伸してなるものとすることができ、シール部には、例えば、溶液系、二液系、熱可塑性樹脂系、水分散系、または、それら何れかを利用してなる両面粘着テープなどを採用する外、現在利用されている他のシール技術や、今後開発される接着技術を採用することが可能である。
【００３２】
包装袋本体の装入誘導縁は、ラベル収容部の各装入口に紙製表示ラベルを装入する作業性を改善可能とする機能を担うもので、ラベル収容部および製品収容部夫々の装入口を開口する同一外縁に最終シール代を確保し、外装フィルムの最終シール代に一致するよう設定した内装フィルムの最終シール代の、さらに外がわまで延伸してなるものとしなければならず、ラベル収容部に、製品収容部に包装対象商品を収容して最終シール代同士を貼着する際に、該装入誘導縁を切除してしまい、ラベル収容部および製品収容部を同時に密閉可能なものとすることができる。
【００３３】
この発明の包装用樹脂袋を利用した包装商品の製造方法は、多品種、小ロット生産の包装対象商品を効率的且つ短納期にて高品質の包装商品とするよう包装可能とする新技術であって、当該包装用樹脂袋の利用が不可欠であり、包装袋本体を製造後、各ラベル収容部に小ロット、多品種印刷されただけで接着剤層を持たない紙製表示ラベルを収容してから、各製品収容部に包装対象商品を収容した上、各ラベル収容部および各製品収容部を同時に密閉するようにしてなるものとすることができるが、包装袋本体を製造後、各製品収容部に包装対象商品を収容してから、各ラベル収容部に小ロット、多品種印刷されただけで接着剤層を持たない紙製表示ラベルを収容した上、各ラベル収容部および各製品収容部を同時に密閉するようにすることが可能である。
【００３４】
また、各ラベル収容部および各製品収容部を同時に密閉するのと同じ工程で、各装入誘導縁を切除してしまうようにしてなるものとすることができる外、各ラベル収容部と各製品収容部とを同時にではなく個別に密閉するようにしたり、夫々の密閉作業と同時か、または別工程で各装入誘導縁を切除するようにしたりすることができるができ、さらにまた、包装袋本体を製造する工程中の適宜段階にて、各ラベル収容部に小ロット、多品種印刷されただけで接着剤層を持たない紙製表示ラベルを収容して包装袋本体を製造した後、各製品収容部に包装対象商品を収容した上、各ラベル収容部および各製品収容部を同時に密閉するようにするものや、包装袋本体を製造する工程中の適宜段階にて、各製品収容部に包装対象商品を収容した上、各ラベル収容部に小ロット、多品種印刷されただけで接着剤層を持たない紙製表示ラベルを収容して包装袋本体を製造した後、各ラベル収容部および各製品収容部を同時に密閉するようにするものなど、各種包装対象商品毎に適した包装手順を自由に選択することができる。
以下では、図面に示すこの発明を代表する実施例と共に、その構造について詳述することとする。                                                                                                        
【図面の簡単な説明】
【００３５】
図面は、この発明の包装用樹脂袋、およびそれを利用した包装商品の製造方法の技術的思想を具現化した代表的な幾つかの実施例を示すものである。
【図１】分解状態の包装用樹脂袋（３方シール袋）を示す正面図である。
【図２】分解状態の包装袋本体（３方シール袋）を示す斜視図である。
【図３】包装用樹脂袋の装入組合せを示す断面図である。
【図４】最終工程の包装商品を示す正面図である。
【図５】内袋を有する包装用樹脂袋（３方シール袋）を分解して示す正面図である。
【図６】内袋を有する包装袋本体（３方シール袋）を分解して示す斜視図である。
【図７】内袋を有する包装用樹脂袋の装入組合せを示す断面図である。
【図８】ラベル収容部を除く余剰範囲に有色接着層を設けた包装用樹脂袋（３方シール袋）を分解して示す正面図である。
【図９】紙製表示ラベルをラベル収容部に装入する包装袋本体を示す正面図である。
【図１０】包装対象商品を製品収容部に装入する包装袋本体を示す正面図である。
【図１１】最終工程の包装商品を示す正面図である。
【図１２】内袋を有する包装用樹脂袋（３方シール袋）を分解して示す正面図である。
【図１３】ラベル収容部の配置形状を変えた包装商品を示す正面図である。
【図１４】ラベル収容部の配置形状を変えた包装商品を示す正面図である。
【図１５】ラベル収容部の配置形状を変えた包装商品を示す正面図である。
【図１６】ラベル収容部の配置形状を変えた包装商品を示す正面図である。
【図１７】内袋を有する包装袋本体（ピロー袋）を分解して示す斜視図である。
【図１８】包装袋本体（ピロー袋）を示す正面図である。
【図１９】紙製表示ラベルをラベル収容部に装入する包装袋本体を示す正面図である。
【図２０】包装対象商品を製品収容部に装入する包装袋本体を示す正面図である。
【図２１】包装商品を示す正面図である。
【図２２】形態が異なる包装袋本体（ピロー袋）を示す正面図である。
【図２３】形態の異なる包装袋本体（ピロー袋）を示す正面図である。
【図２４】ラベル収容部を除く余剰範囲に有色接着層を設けた包装用樹脂袋（ピロー袋）を分解して示す斜視図である。
【図２５】ラベル収容部を除く余剰範囲に有色接着層を設けた包装用樹脂袋（ピロー袋）を示す斜視図である。
【図２６】ラベル収容部の配置形状を変えた包装用樹脂袋（ピロー袋）を分解して示す斜視図である。
【図２７】ラベル収容部の配置形状を変えた包装用樹脂袋（ピロー袋）を示す斜視図である。
【図２８】ラベル収容部の配置形状を変えた包装用樹脂袋（ピロー袋）を分解して示す斜視図である。
【図２９】ラベル収容部の配置形状を変えた包装用樹脂袋（ピロー袋）を示す斜視図である。
【実施例１】
【００３６】
図１ないし図４に示す事例は、２枚の外装フィルム５０，５０からなる外包装袋５の内がわを１つのラベル収容部３と、１つの製品収容部４とに縦断状に仕切るよう１枚の内装フィルム６を一体に組み合わせるようにした上、各ラベル収容部３および各製品収容部４には、夫々、最終シール代５２，６１を確保した一外縁端に装入口３０，４０を開口してなる包装袋本体２を設け、該包装袋本体２のラベル収容部３には、その装入口３０を通じて紙製表示ラベル８を収容し、製品収容部４には、その装入口４０を通じて包装対象商品９を収容可能なものとし、包装対象商品９を該製品収容部４に収容した後、当該同一外縁の最終シール代５２，６１，５２同士を貼着してラベル収容部３および製品収容部４を同時に密閉可能としてなるものとした、この発明の包装用樹脂袋における代表的な一実施例を示すものである。
以下では、この発明の包装用樹脂袋を利用した包装商品の製造方法の一例に従い順次、包装用樹脂袋１、およびそれを利用した包装商品１０の構造を示して行くこととする。
【００３７】
図１ないし図４の各図からも明確に把握できるとおり、この発明の包装用樹脂袋１の本体部分をなす包装袋本体２は、２枚の外装フィルム５０，５０で１枚の内装フィルム６を挟み込むよう重ね合わせるよう組み合わせてなるものであり、各外装フィルム５０，５０は夫々、無色透明なポリエチレン製であって内側面となる片面にヒートシール層（図示せず）を有する矩形状で、４辺各外周縁に所定幅の外縁シール部５１，５１，……を確保し、その中の１辺を最終シール代５２としてなるものであり、該内装フィルム６は、両面にヒートシール層（図示せず）を有する無色透明ポリエチレン製の矩形状であって、各外装フィルム５０，５０の外縁シール部５１，５１，……に一致する４辺各外周縁に所定幅の外縁シール部６０，６０，……を確保し、各外装フィルム５０，５０の最終シール代５２に一致する範囲を最終シール代６１とした上、同最終シール代６１の全幅に渡り、さらに外がわに向けて所定長の装入誘導縁６２を延伸したものとする。
【００３８】
当該２枚の外装フィルム５０，５０間に、１枚の内装フィルム６を挟み込むよう重ね合わせ、最終シール代５２，５２，６１を除く、３辺の各外縁シール部５１，５１，……，６０，６０，……をヒートシール加工し、包装袋本体２内部を枚の内装フィルム６が縦断状に仕切るよう組合せたものとし、一方の外装フィルム５０と内装フィルム６との間にラベル収容部３を確保し、その最終シール代５２と装入誘導縁６２との間に装入口３０を開口したものとし、且つ、該内装フィルム６と他方の外装フィルム５０との間には製品収容部４を確保し、その入誘導縁６２と他方の最終シール代５２との間に装入口４０を開口して３方シール袋である包装袋本体２を製造する。
包装袋本体２は、前述の各外縁シール部５１，５１，……，６０，６０，……の３辺をヒートシール加工するときに、それと同時に、外縁シール部５１，５１，６０の適所にノッチ加工を行い、開封切っ掛け用ノッチ２０を設ける。
【００３９】
このように製造した包装袋本体２のラベル収容部３には、図１および図３に示すように、その装入口３０を通じて、予め上質紙または和紙などの紙表面がわに、オフセット印刷機と同等の印刷品質が得られる高品質オンデマンド印刷機機（図示せず）を用いて、コンピューター端末から直接送信したデザイン情報（ラベル画像情報）によって小ロット、多品種カラー印刷し、印刷前か印刷後か、印刷途中かの何れかの段階で該ラベル収容部３よりも小さな面積とするよう裁断して置いた紙製表示ラベル８を装入し、また、同製品収容部４には、その装入口４０を通じ、乾燥麺などの包装対象商品９を装入する。
【００４０】
図４に示すように、紙製表示ラベル８をラベル収容部３に、包装対象商品９を製品収容部４に夫々収容した後、各外装フィルム５０，５０の最終シール代５２，５２を、内装フィルム６の最終シール代６１に重ね合わせてヒートシールすると同時に、装入誘導縁６２を切除してしまうようにして包装商品１０を製造する。
【００４１】
（実施例１の作用・効果）
以上のとおりの構成からなるこの発明の包装用樹脂袋１包装袋本体２によれば、図１ないし図４に示すように、小ロット、多品種印刷されただけで接着剤層を持たない紙製表示ラベル８をラベル収容部３に装入する作業において、該ラベル収容部３の装入口３０を形成してある内装フィルム６の装入誘導縁６２が、それに対峙する外包装袋５外装フィルム５０の最終シール代５２よりも外がわに延伸してなるものとしてあるから、フィルム同士の重なり縁から装入口３０を探す手間が省け、図１および図３に示すように、該装入誘導縁６２を案内としてラベル収容部３中に紙製表示ラベル８を円滑に装入することが可能であり、さらに、同構造によって製品収容部４の装入口４０を探すのも容易になり、該装入誘導縁６２を案内として製品収容部４中に包装対象商品９を速やかに装入することができるものとなる。
【００４２】
図４に示すように、包装作業の最終段階にて、外包装袋５外装フィルム５０，５０、内装フィルム６の各最終シール代５２，５２，６１をヒートシール加工すると同時に、最終シール代５２，５２，６１より外がわに延伸してある装入誘導縁６２を切除してしまうので、包装商品１０に装入誘導縁６２が残存しない。                                                                      
【実施例２】
【００４３】
図５ないし図７に示す事例は、包装袋本体２が、２枚の外装フィルム５０，５０で２枚重ねの内装フィルム６，６を外がわから挟み込むよう積層状に配置し、各外装フィルム５０，５０は夫々、無色透明なポリエチレン製であって内側面となる片面にヒートシール層（図示せず）を有する矩形状で、４辺各外周縁に所定幅の外縁シール部５１，５１，……を確保し、その中の１辺を最終シール代５２とし、２枚重ねの内装フィルム６，６は、両面にヒートシール層（図示せず）を有する無色透明ポリエチレン製の矩形状であって、４辺各外周縁に所定幅の外縁シール部６０，６０，……を確保し、各外装フィルム５０，５０の最終シール代５２に一致する範囲を最終シール代６１，６１とした上、同最終シール代６１，６１の全幅に渡り、さらに外がわに向けて所定長の装入誘導縁６２，６２を延伸してなるものとする。
【００４４】
当該３方シール袋２である包装袋本体２は、２枚の外装フィルム５０，５０間に、２枚重ねの内装フィルム６，６を挟み込むよう組み合せ、最終シール代５２，５２，６１，６１を除く、３辺の各外縁シール部５１，５１，……，６０，６０，……をヒートシール加工し、２枚の外装フィルム５０，５０で形成した外包装袋５内に、２枚の内装フィルム６，６からなる内袋６３を内蔵し、装入誘導縁６２，６２を外包装袋５の最終シール代５２，５２間から外がわに延伸、露出状としてなる３方シール袋２とし、該包装袋本体２内部を内袋６３内装フィルム６，６の両外側壁で縦断状に仕切るよう組合せたものとし、一方の外装フィルム５０と一方の内装フィルム６との間に、ラベル収容部３を確保し、その最終シール代５２と一方の装入誘導縁６２との間に装入口３０を開口したものとし、内袋６３内装フィルム６，６間に製品収容部４を確保し、その装入誘導縁６２，６２間に装入口４０を開口し、該内袋６３の他方の内装フィルム６と他方の外装フィルム５０との間には、裏ラベル収容部３１を確保し、その装入誘導縁６２と最終シール代５２との間に裏ラベル用装入口３２を開口して製造する。
包装袋本体２は、その３辺の各外縁シール部５１，５１，……，６０，６０，……をヒートシール加工するとき、それと同時に、外縁シール部５１，６０の適所に、ノッチ加工を行い開封切っ掛け用ノッチ２０を設ける。
【００４５】
このようにして製造した包装袋本体２のラベル収容部３には、図５および図７に示してあるように、その装入口３０を通じ、予め上質紙または和紙などの紙表面がわに、オフセット印刷機と同等の印刷品質が得られる高品質オンデマンド印刷機機（図示せず）を用いて、コンピューター端末から直接送信したデザイン情報（ラベル画像情報）によって小ロット、多品種カラー印刷し、印刷前か印刷後か、印刷途中かの何れかの段階で該ラベル収容部３よりも小さな面積とするよう裁断して置いた紙製表示ラベル８を装入し、また、裏ラベル収容部３１には、その裏ラベル用装入口３２を通じ、該紙製表示ラベル８と同様の製造工程か、それよりも簡易的な（例えばモノクロ印刷などの）印刷工程で製造して置いた、商品名、商品の名称、原材料名、内容量、賞味期限、保存方法、製造・販売者、リサイクル用の紙マーク・プラマークなどを表示する紙製内容表示ラベル８０を装入したものとした上、製品収容部４には、その装入口４０を通じ、乾燥麺などの包装対象商品９を装入する。
【００４６】
図５および図７に示すように、紙製表示ラベル８をラベル収容部３に、紙製内容表示ラベル８０を裏ラベル収容部３１に、包装対象商品９を製品収容部４に夫々収容した後、図４に示すように、各外装フィルム５０，５０の最終シール代５２，５２、および、内袋６３内装フィルム６，６の最終シール代６１，６１に重ね合わせてヒートシールすると同時に、装入誘導縁６２，６２を切除してしまうようにして包装商品１０を製造する。
【００４７】
（実施例２の作用・効果）
以上のとおりの構成からなる包装用樹脂袋１包装袋本体２は、図５および図７に示すように、包装袋本体２の背面がわに、裏ラベル用装入口３２を有する裏ラベル収容部３１を形成してあるから、表がわの紙製表示ラベル８と同様に、装入誘導縁６２を案内に紙製内容表示ラベル８０を素早く装入することができる。                                                                      
【実施例３】
【００４８】
図８ないし図１１に示す事例は、前記図１ないし図４に示した２枚の外装フィルム５０，５０からなる外包装袋５内に、１枚の内装フィルム６を挟み込むように設けてなる包装用樹脂袋１包装袋本体２の一部に改良を加えたものであり、同一構成部分には同一符号を付して説明を省略し、改良点についてのみ示すこととする。
【００４９】
表面となる一方の外装フィルム５０の内側面であって、その中央の紙製表示ラベル８面積を僅かに上回る範囲のみをラベル収容部３とするよう、左右各外縁シール部５１，５１に至る余剰範囲３３，３３に、有色接着剤（ラミネート糊など）からなる左右有色接着層７，７を、市松模様などの適宜表示パターンを付与したものとして形成し、一方の外装フィルム５０の内側面を内装フィルム６に重ね合わせ、有色接着層７，７で接着し、中央ラベル収容部３を形成したものとしてあり、図９に示すように、左右余剰範囲３３，３３を除く、中央ラベル収容部３に、一方の最終シール代５２装入誘導縁６２間に開口する装入口３０を通じて紙製表示ラベル８を装入し、図１０に示すように、製品収容部４に、装入誘導縁６２他方の最終シール代５２間に開口する装入口４０を通じて包装対象商品９を装入した後、図１１に示すように、最終シール代５２，６１，５２をヒートシールすると同時に、装入誘導縁６２を切除して包装商品１０を製造する。
【００５０】
図８を参照すると、左右有色接着層７，７は、一方の外装フィルム５０の余剰範囲３３，３３に形成せず、それに対峙する内装フィルム６の余剰範囲６４，６４にのみ、適宜表示パターンを付与したものとして形成してなるものとすることができる外、一方の外装フィルム５０の余剰範囲３３，３３と、それらに対峙する内装フィルム６の余剰範囲６４，６４との双方に、同一表示パターンか、または、双方の重ね合わせで１つの表示パターンを付与可能とする形成してなるものとすることなどが可能である。
【００５１】
（実施例３の作用・効果）
以上のとおりの構成からなる包装用樹脂袋１包装袋本体２は、図９ないし図１１に示すように、左右幅方向の中央に配したラベル収容部３を除く左右がわの余剰範囲３３，３３夫々に有色接着層７，７を設けたから、左右各有色接着層７，７が、装入後の紙製表示ラベル８を定位置に保持するものとなり、紙製表示ラベル８の傾きやズレなどの移動を阻止可能なものとし、加えて、左右各有色接着層７，７の市松模様の表示パターンが、完成後の包装商品１０をカラー装飾するものとなる。                                                                            
【実施例４】
【００５２】
図１２に示してある事例は、前記図５ないし図７に示した２枚の外装フィルム５０，５０からなる外包装袋５内に、２枚の内装フィルム６，６からなる内袋６３を内装してなる包装用樹脂袋１包装袋本体２の一部に改良を加えたものであり、同一構成部分には同一符号を付して説明を省略し、改良点についてのみ示すこととする。
【００５３】
２枚の外装フィルム５０，５０の各内側面であって、その中央の紙製表示ラベル８、紙製内容表示ラベル８０の各面積を、夫々僅かに上回る範囲のみをラベル収容部３、裏ラベル収容部３１とするよう、左右各外縁シール部５１，５１に至る余剰範囲３３，３３，……に、有色接着剤（ラミネート糊など）からなる左右有色接着層７，７，……が、市松模様などの適宜表示パターンを付与してなるものとするよう印刷し、２枚の各外装フィルム５０，５０の内側面を内袋６３内装フィルム６，６外側面の夫々に重ね合わせ、各外縁シール部５１，５１，６０，６０，……および有色接着層７，７，……で接着・一体化し、中央ラベル収容部３、裏ラベル収容部３１を夫々形成した包装袋本体２としてあり、同包装袋本体２表がわであって左右余剰範囲３３，３３を除く、中央ラベル収容部３に、一方の最終シール代５２と一方の入誘導縁６２との間に開口する装入口３０を通じて紙製表示ラベル８を装入し、また、同包装袋本体２裏がわであって左右余剰範囲３３，３３を除く、中央裏ラベル収容部３１に、他方の最終シール代５２と他方の入誘導縁６２との間に開口する裏ラベル用装入口３２を通じて紙製内容表示ラベル８０を装入した上、内袋６３の製品収容部４に、各入誘導縁６２，６２間に開口する装入口４０を通じて包装対象商品９を装入した後、図１１に示すように、最終シール代５２，６１，６１，５２をヒートシールすると同時に、装入誘導縁６２，６２を切除して包装商品１０を製造する。
【００５４】
同様の作業によって、図１３に示すように、３方シール袋である包装袋本体２の最終シール代５２，６１配置を左右がわの何れか一辺に設定して、同装袋本体２表面がわ外装フィルム５０の上下間中央にラベル収容部３を左右間横断状に配し、その上下がわ余剰範囲３３，３３に有色接着層７，７，……を設けたものとすることができ、さらにまた、図１４に示すように、装袋本体２表面がわ外装フィルム５０の上端寄りの位置にラベル収容部３を確保するよう、下端がわ余剰範囲３３に有色接着層７を設けたもや、図１５に示すように、装袋本体２の表面がわ外装フィルム５０の右端寄りの位置にラベル収容部３を確保するよう、左端がわ余剰範囲３３に有色接着層７を設けたもの、または、図１６に示すように、装袋本体２の表面がわ外装フィルム５０の左右幅中央を含む右端寄りの位置に、外装フィルム５０の左右幅寸法の２／３を超える横幅のラベル収容部３を確保するよう、同外装フィルム５０の左右幅寸法の１／３未満の左端がわ余剰範囲３３に有色接着層７を設けたものとし、ラベル収容部３に装入口３０を通じて紙製表示ラベル８を装入して製造した包装商品１０とすることができる。
【００５５】
（実施例４の作用・効果）
以上のとおりの構成からなる包装用樹脂袋１包装袋本体２は、図１２のものように、裏ラベル収容部３１左右がわの余剰範囲３３，３３にも有色接着層７，７を設けてあるから、装入後の紙製内容表示ラベル８０の傾きやズレなどの移動を阻止可能とし、さらに、左右各有色接着層７，７の市松模様の表示パターンが、完成後の包装商品１０の裏面をも装飾するものとなり、また、図１３ないし図１６に示すように、ラベル収容部３の配置や形状、寸法などの各種条件に応じて余剰範囲３３，３３の範囲設定を変えることが可能であり、様々なデザインの包装商品１０を実現化することができる。                                                          
【実施例５】
【００５６】
図１７ないし図２１に示す事例は、内側面となる片面にヒートシール層（図示せず）を有する矩形状、１枚の外装フィルム５０をピロー型に折り畳んでなる外包装袋５の内がわに、両面にヒートシール層（図示せず）を有する上下反転凸字形状、１枚の内装フィルム６を同様にピロー型に折り畳んでなる内袋６３を一体に組み合わせた二重袋構造で、それら外包装袋５、内装フィルム６の上端縁２１および背貼り合掌縁２２，２２とする各外縁シール部５１，５１，６０，６０をヒートシールにて貼着し、外包装袋５内側面と内袋６３外側面との間に１つのラベル収容部３、内袋６３内に１つの製品収容部４を夫々確保すると共に、外包装袋５の最終シール代５２と、内袋６３最終シール代６１、および、同内袋６３の左右幅間に渡って上下反転凸字形状に延伸した装入誘導縁６２との間にラベル収容部３の装入口３０を開口し、さらに、内袋６３の最終シール代６１、装入誘導縁６２の間に製品収容部４の装入口４０を開口してなるものとしたピロー袋２としての包装袋本体２である。
【００５７】
図１９に示すように、当該包装袋本体２は、表がわ配置となるラベル収容部３内に、その装入口３０をなす最終シール代５２と装入誘導縁６２との間を通じて紙製表示ラベル８を装入し、包装用樹脂袋１とすると共に、図２０に示すように、ラベル収容部３の背後に配置する内袋６３からなる製品収容部４内に、その装入口４０をなす最終シール代６１と装入誘導縁６２との間を通じて包装対象商品９を装入した上、図２１に示すように、最終シール代５２，６１をヒートシールすると同時に、装入誘導縁６２を切除して包装商品１０を製造する。
【００５８】
また、図２２に示すもののように、背貼り合掌縁２２，２２とする各外縁シール部５１，５１，６０，６０は、包装袋本体２の左右何れか一方端がわに形成することが可能である外、図２３のもののように、背貼り合掌縁２２，２２とする各外縁シール部５１，５１，６０，６０は、包装袋本体２背面の左右幅中央位置から背面の左右何れか一方寄りとなる位置に配したものとすることができる。
【００５９】
（実施例５の作用・効果）
以上のとおりの構成からなる包装用樹脂袋１包装袋本体２は、図１７ないし図２１に図示するもののように、二重構造のピロー袋２に対しても、前述した図１ないし図４に取り上げた実施例１の３方シール袋２と同様に、小ロット、多品種印刷されただけで接着剤層を持たない紙製表示ラベル８をラベル収容部３に装入するようにして製造可能であり、しかも、上下逆転凸字形状とした内装フィルム６が、各収容部３，４の各装入口３０，４０よりも外がわに延伸する装入誘導縁６２を形成し、紙製表示ラベル８や包装対象商品９の装入作業を格段に容易なものとし、加えて、図２２および図２３に示すように、背貼り合掌縁２２，２２の配置を、左右幅方向の自由に選択した適所に配置してなるものは、包装袋本体２包装用樹脂袋１および包装商品１０のデザインの多様性を一段と高めたものとすることができる。                                                                              
【実施例６】
【００６０】
図２４および図２５に取り上げたて事例は、前記実施例５の図１７ないし図２１に示した二重構造のピロー袋２である包装袋本体２のラベル収容部３を改良したものであり、外包装袋５外装フィルム５０の内側面であって、上端縁２１、背貼り合掌縁２２，２２の各外縁シール部５１，５１，５１および最終シール代５２、さらに、外包装袋５表面がわ左右幅中央に配置し、紙製表示ラベル８の面積よりも僅かに広く、最終シール代５２と装入口３０とに続くラベル収容部３を除く左右余剰範囲３３，３３夫々に、有色接着剤からなる有色接着層７，７を、適宜表示パターンを付与したものとして形成し、各有色接着層７，７を設けた左右余剰範囲３３，３３が、夫々内袋６３内装フィルム６外側面の余剰範囲６４，６４に接着してなるものとする。
【００６１】
図２４に示すように、外装フィルム５０の内側面と内装フィルム６外側面とを重ね合わせ、互いの余剰範囲３３，３３，６４，６４を各有色接着層７，７にて貼着・一体化した上、上端縁２１、背貼り合掌縁２２，２２の各外縁シール部５１，５１，５１，６０，６０，６０をヒートシールしてから、図２５に示すように、左右余剰範囲３３，３３間に確保したラベル収容部３に、その装入口３０の最終シール代５２と装入誘導縁６２との間を通じて紙製表示ラベル８を装入するようにして包装用樹脂袋１を製造する。
【００６２】
図２６および図２７に示す事例は、前記図２４および図２５の包装用樹脂袋１包装袋本体２の一部に変更を加えたもので、外装フィルム５０内側面の余剰範囲３３と、これに対峙する内装フィルム６外側面の余剰範囲６４とを、上下反転凹字形状のものとしてなるものであり、また、図２８および図２９に示すものは、外装フィルム５０内側面の左右の余剰範囲３３，３３の中、右側の余剰範囲３３を包装袋本体２表面左右幅間の中央まで延長し、左右余剰範囲３３，３３の間となる包装袋本体２表面の左半分をラベル収容部３としてなるものである。
【００６３】
（実施例６の作用・効果）
以上のとおりの構成からなる包装用樹脂袋１包装袋本体２は、図２４および図２５に示すもののように、二重構造のピロー袋２に対しても、図８ないし図１１に示した実施例３において前述してある３方シール袋２と同様に、左右幅方向の中央に配したラベル収容部３を除く左右がわ余剰範囲３３，３３に夫々、有色接着層７，７を設けてあるから、左右各有色接着層７，７が、紙製表示ラベル８の傾きやズレなどのいった移動を完全に阻止可能なものとし、加えて、左右各有色接着層７，７の市松模様の表示パターンが、完成後の包装商品１０を装飾するものとなり、そして、図２６ないし図２９に示すように、余剰範囲３３，３３の形状・寸法を適宜変えて設定することによって、包装袋本体２包装用樹脂袋１および包装商品１０のデザインに多様な変化を与えることを可能にしている。
【００６４】
（結  び）
叙述の如く、この発明が包含する包装用樹脂袋、およびそれを利用した包装商品の製造方法は、その新規な構成によって所期の目的を遍く達成可能とし、しかも製造も容易であって、従前からのオフセット印刷技術によるラベルを採用する場合に比較して小ロット生産の生産コストを大幅に削減可能にすると共に、ラベル生産に要する製造期間を格段に短縮し、商品開発に伴うパッケージデザインから印刷までの工程を即日行うことを可能にする程に迅速化でき、且つ多品種・少量生産を遥かに経済的なのとすることができる上、工場生産の作業性を大幅に改善し得るものとなることから、従前までは、小規模な商品流通に留まって採算がとれないなど、様々な理由が絡んで製造、出荷を断念せざるを得なくなるといった場面に悩まされて来た各種製造業界や包装業界は固よりのこと、個々人の要求にマッチするよう多様なニーズに対応した木目細かな商品の提供を希望する一般家庭や流通業界などにおいても高い評価がなされ、広範に渡って利用、普及していくものになることが予想される。                                                                        
【符号の説明】
【００６５】
１      包装用樹脂袋
１０    同  包装商品
２      包装袋本体（３方シール袋、ピロー袋）
２０    同  開封切っ掛け用ノッチ
２１    同  上端縁
２２    同  背貼り合掌縁
３      ラベル収容部
３０    同  装入口
３１    同  裏ラベル収容部
３２    同  裏ラベル用装入口
３３    同  余剰範囲
４      製品収容部
４０    同  装入口
５      外包装袋
５０    同  外装フィルム
５１    同  外縁シール部
５２    同  最終シール代
６      内装フィルム
６０    同  外縁シール部
６１    同  最終シール代
６２    同  装入誘導縁
６３    同  内袋
６４    同  余剰範囲
７      接着層（有色接着剤、有色接着層）
８      紙製表示ラベル
８０    同  紙製内容表示ラベル
９      包装対象商品                                                                                              
【図１】
0005568542.tif 000002
【図２】
0005568542.tif 000003
【図３】
0005568542.tif 000004
【図４】
0005568542.tif 000005
【図５】
0005568542.tif 000006
【図６】
0005568542.tif 000007
【図７】
0005568542.tif 000008
【図８】
0005568542.tif 000009
【図９】
0005568542.tif 000010
【図１０】
0005568542.tif 000011
【図１１】
0005568542.tif 000012
【図１２】
0005568542.tif 000013
【図１３】
0005568542.tif 000014
【図１４】
0005568542.tif 000015
【図１５】
0005568542.tif 000016
【図１６】
0005568542.tif 000017
【図１７】
0005568542.tif 000018
【図１８】
0005568542.tif 000019
【図１９】
0005568542.tif 000020
【図２０】
0005568542.tif 000021
【図２１】
0005568542.tif 000022
【図２２】
0005568542.tif 000023
【図２３】
0005568542.tif 000024
【図２４】
0005568542.tif 000025
【図２５】
0005568542.tif 000026
【図２６】
0005568542.tif 000027
【図２７】
0005568542.tif 000028
【図２８】
0005568542.tif 000029
【図２９】
0005568542.tif 000030